(57)【要約】      （修正有）【課題】遠心ファンからの風が放熱フィン部を円滑に通過する、放熱効率に優れ、且つ、薄型の遠心ファン付ヒートシンクを提供する。【解決手段】空気取り入れ口８から取り入れ、所定の方向に送風する遠心ファンと、それぞれの一方の端部が近接し、長軸方向が交差するように配置され、前記遠心ファンからの風が通過する、複数の放熱フィン７−１、７−２が並列配置されている。放熱フィン７−２は幅方向の長さが異なる放熱フィン部７−３，７−４を含む２つの放熱フィン部から構成され、放熱フィン７−１と放熱フィン部７−３の交差部には、前記幅方向の長さが異なる放熱フィン部の幅方向が長い放熱フィンを流れるように、前記遠心ファンからの風の流れを誘導する整流片４が設けられている。【選択図】図２
2008103439.tif 000002
【特許請求の範囲】
【請求項１】
空気取り入れ口から取り入れ、所定の方向に送風する遠心ファンと、
それぞれの一方の端部が近接し、長軸方向が交差するように配置され、前記遠心ファンからの風が通過する、複数の放熱フィンが並列配置された、幅方向の長さが異なる放熱フィン部を含む２つの放熱フィン部と、
前記幅方向の長さが異なる放熱フィン部の幅方向が長い放熱フィンを流れるように、前記遠心ファンからの風の流れを誘導する整流片とを備えた遠心ファン付ヒートシンク。
【請求項２】
２つの前記放熱フィン部は、幅方向の長さが異なる第1放熱フィン部と、幅方向の長さが同一の第2放熱フィン部からなっており、前記幅方向の長さが異なる第1放熱フィン部は、幅方向の長い放熱フィンが、前記第2放熱フィン部に近接した部分に配置されている、請求項１に記載の遠心ファン付ヒートシンク。
【請求項３】
前記第1放熱フィン部の幅方向の長い放熱フィンの前記遠心ファンに面した端面が、前記第2放熱フィン部の幅方向の一方の端面と概ね同一面に位置している、請求項２に記載の遠心ファン付ヒートシンク。
【請求項４】
前記整流片は、前記第１放熱フィン部の幅方向の長い放熱フィンの遠心ファンに面した前記端面と、前記第2放熱フィン部の前記遠心ファンに面した長軸方向の端面との間に配置されて、前記遠心ファンからの風を、前記幅方向の長い放熱フィンに誘導する、請求項３に記載の遠心ファン付ヒートシンク。
【請求項５】
それぞれ空気取り入れ口を備えた上面部および底面部、並びに、２つの前記放熱フィン部が配置される開口部を備えた側壁部によって形成される、前記遠心ファンが収容される空洞部を備え、前記整流片が前記上面部と底面部との間に垂直に取り付けられている、請求項４に記載の遠心ファン付ヒートシンク。
【請求項６】
それぞれの端部が接触し長軸方向が直行する前記第1放熱フィン部の幅方向の長い放熱フィンの前記端面と前記第1放熱フィン部の前記長軸方向の端面によって形成される角度を２等分するように前記整流片が配置されている、請求項５に記載の遠心ファン付ヒートシンク。
【請求項７】
発熱素子にヒートパイプの一方の端部が熱的に接続され、前記放熱フィン部にヒートパイプの他方の端部が熱的に接続されている、請求項１から６の何れか1項に記載の遠心ファン付ヒートシンク。
【請求項８】
前記ヒートパイプの他方の端部の前記放熱フィン部と熱的に接続された面と反対側の面に別の放熱フィン部が熱的に接続されている、請求項７に記載の遠心ファン付ヒートシンク。
【発明の詳細な説明】
【技術分野】
【０００１】
この発明は、放熱フィン部を備えた遠心ファン付ヒートシンクに関し、特に遠心ファンからの風が放熱フィン部を円滑に通過する、放熱効率に優れたヒートシンクに関する。
【背景技術】
【０００２】
基板に搭載されるＣＰＵ、素子等の発熱部の発熱量、発熱密度が増大し、これらを効率的に放熱する高性能のヒートシンクが求められている。パーソナルコンピュータにおいても、CPUに加え、グラフィックチップ（GPUまたはVGA）、チップセットなど積極的な放熱を必要とする素子が増加してきた。一方で、薄型化が要求されてきている。
【０００３】
発熱量が多くなるにつれて、放熱フィンとヒートパイプの組み合わせでは対応が困難になり、ヒートパイプによって放熱フィンに移動した発熱素子の熱をファンによって強制的に放熱する方法が採用されてきた。
即ち、発熱素子の熱をヒートパイプによって、放熱フィン部に移動し、放熱フィン部にファンによって冷たい空気を送って、発熱素子の熱を筐体外に放出する遠心ファン付ヒートシンクが用いられている。
【０００４】
上面と底面と壁面で形成される空洞部内に遠心ファンを配置し、遠心ファンに面して放熱フィンを配置し、遠心ファンによって生じる風が個々の放熱フィンを通過することによって、放熱効果を高めることができる。更に、上面、底面、壁面で形成される空洞部内に遠心ファンを配置し、放熱フィンを遠心ファンに面して配置することによって、ヒートシンクが薄型化される。
【０００５】
図５は従来の遠心ファン付ヒートシンクを説明する摸式断面図である。図５に示すように、上面、底面および側壁面によって形成された空洞部内に遠心ファン１０２が配置されている。遠心ファンに面して、それぞれ長軸方向が直交する２つの放熱フィン部１０７、１０８が配置されている。
【０００６】
（図示しない）発熱素子にヒートパイプの一方の端部が熱的に接続され、ヒートパイプの他方の端部が放熱フィンの長軸方向に沿って熱的に接続されている。発熱素子の熱がヒートパイプによって放熱フィン部に移動され、放熱フィン部に移動された熱が、遠心ファンからの風によって筐体外に放出されて、放熱される。
【特許文献１】特開平９−１７２１１３
【発明の開示】
【発明が解決しようとする課題】
【０００７】
図５に示すように、遠心ファンに面して２つの放熱フィン部（即ち、第１放熱フィン部１０７、第２放熱フィン部１０８）が、それぞれの長軸方向が直角になるように配置された状態で、遠心ファンを回転させると、第１放熱フィン部および第２放熱フィン部の間を風が流れ際に、第１放熱フィン部１０７と第２放熱フィン部１０８とが接する部分に形成される直角部分の風の流れが滞留する。その結果、第１放熱フィン部および第２放熱フィン部のそれぞれの放熱フィンの間を風の流れが整流化しない状態が生起する。
【０００８】
上述したように、第１放熱フィン部および第２放熱フィン部のそれぞれの放熱フィンの間を風が整流化して流れないと、放熱フィンの間に放熱効率のよい部分とよくない部分とが混在して、ヒートパイプによって放熱フィン部に移動された発熱素子の熱が十分に放熱されないという問題点がある
【０００９】
従って、この発明の目的は、遠心ファンからの風が放熱フィン部を円滑に通過する、放熱効率に優れ、騒音を軽減し、且つ、薄型の遠心ファン付ヒートシンクを提供することにある。
【課題を解決するための手段】
【００１０】
発明者は従来の問題点を解決するため、鋭意研究を重ねた。その結果、２つの放熱フィン部を、それぞれの一方の端部が近接し、長軸方向が交差するように配置し、一方の放熱フィン部が幅方向の長さが異なる放熱フィン部からなり、それぞれ長軸方向が直交する２つの放熱フィン部によって形成される直角部分に、幅方向の長さが長い放熱フィンを配置すると、直角部分における風の流れの滞留が抑制されることが判明した。
【００１１】
更に、幅方向の長さが異なる放熱フィン部の幅方向が長い放熱フィンを流れるように、遠心ファンからの風の流れを誘導する整流片を備えると、個々の放熱フィンの間を通過する風の量を平坦化することができることが判明した。
【００１２】
この発明の遠心ファン付ヒートシンクの第１の態様は、空気取り入れ口から取り入れ、所定の方向に送風する遠心ファンと、それぞれの一方の端部が近接し、長軸方向が交差するように配置され、前記遠心ファンからの風が通過する、複数の放熱フィンが並列配置された、幅方向の長さが異なる放熱フィン部を含む２つの放熱フィン部と、前記幅方向の長さが異なる放熱フィン部の幅方向が長い放熱フィンを流れるように、前記遠心ファンからの風の流れを誘導する整流片とを備えた遠心ファン付ヒートシンクである。
【００１３】
この発明の遠心ファン付ヒートシンクの第２の態様は、２つの前記放熱フィン部は、幅方向の長さが異なる第1放熱フィン部と、幅方向の長さが同一の第2放熱フィン部からなっており、前記幅方向の長さが異なる第1放熱フィン部は、幅方向の長い放熱フィンが、前記第2放熱フィン部に近接した部分に配置されている遠心ファン付ヒートシンクである。
【００１４】
この発明の遠心ファン付ヒートシンクの第３の態様は、前記第1放熱フィン部の幅方向の長い放熱フィンの前記遠心ファンに面した端面が、前記第2放熱フィン部の幅方向の一方の端面と概ね同一面に位置している遠心ファン付ヒートシンクである。
【００１５】
この発明の遠心ファン付ヒートシンクの第４の態様は、前記整流片は、前記第１放熱フィン部の幅方向の長い放熱フィンの遠心ファンに面した前記端面と、前記第2放熱フィン部の前記遠心ファンに面した長軸方向の端面との間に配置されて、前記遠心ファンからの風を、前記幅方向の長い放熱フィンに誘導する遠心ファン付ヒートシンクである。
【００１６】
この発明の遠心ファン付ヒートシンクの第５の態様は、それぞれ空気取り入れ口を備えた上面部および底面部、並びに、２つの前記放熱フィン部が配置される開口部を備えた側壁部によって形成される、前記遠心ファンが収容される空洞部を備え、前記整流片が前記上面部と底面部との間に垂直に取り付けられている遠心ファン付ヒートシンクである。
【００１７】
この発明の遠心ファン付ヒートシンクの第６の態様は、それぞれの端部が接触し長軸方向が直行する前記第1放熱フィン部の幅方向の長い放熱フィンの前記端面と前記第1放熱フィン部の前記長軸方向の端面によって形成される角度を２等分するように前記整流片が配置されている遠心ファン付ヒートシンクである。
【００１８】
この発明の遠心ファン付ヒートシンクの第７の態様は、発熱素子にヒートパイプの一方の端部が熱的に接続され、前記放熱フィン部にヒートパイプの他方の端部が熱的に接続されている遠心ファン付ヒートシンクである。
【００１９】
この発明の遠心ファン付ヒートシンクの第８の態様は、前記ヒートパイプの他方の端部の前記放熱フィン部と熱的に接続された面と反対側の面に別の放熱フィン部が熱的に接続されている遠心ファン付ヒートシンクである。
【発明の効果】
【００２０】
この発明の遠心ファン付ヒートシンクによると、遠心ファンに面して２つの放熱フィン部が、それぞれの長軸方向が直交するように配置され、且つ、２つの放熱フィン部によって形成される直角部分に、幅方向の長さが長い放熱フィンを配置し、更に、放熱フィン部の幅方向が長い放熱フィンを流れるように、遠心ファンからの風の流れを誘導する整流片を備えているので、遠心ファンによって生じ、放熱フィンの間を通過する風量が平坦化され、個々の放熱フィンを円滑に風が流れ、放熱効率を高め、騒音を軽減することができる。
【発明を実施するための最良の形態】
【００２１】
この発明の遠心ファン付ヒートシンクを図面を参照しながら説明する。
この発明の遠心ファン付ヒートシンクの１つの態様は、空気取り入れ口から取り入れ、所定の方向に送風する遠心ファンと、それぞれの一方の端部が近接し、長軸方向が交差するように配置され、前記遠心ファンからの風が通過する、複数の放熱フィンが並列配置された、幅方向の長さが異なる放熱フィン部を含む２つの放熱フィン部と、前記幅方向の長さが異なる放熱フィン部の幅方向が長い放熱フィンを流れるように、前記遠心ファンからの風の流れを誘導する整流片とを備えた遠心ファン付ヒートシンクである。
整流片の高さは、放熱フィン部または放熱フィンの高さと同じ程度にするか、あるいは放熱フィン部または放熱フィンより小さくしてもよい。
【００２２】
図１は、この発明の遠心ファン付ヒートシンクの上面に取り付けられた遠心ファンを説明する概略図である。即ち、図１はヒートシンクの上面３に取り付けられた遠心ファンを裏側から見た図である。
【００２３】
図1に示すように、上面３に遠心ファンが回転可能に取り付けられている。遠心ファンが取り付けられるこの発明の遠心ファン付ヒートシンクは、上面３からなるカバー、底面および側壁面が一体的に形成された本体部を重ね合わせて形成される空洞部を備えている。空洞部には遠心ファンが収納される。壁面部の一部に放熱フィン部用の開口部があり、開口部にそれぞれの長軸方向が直交するように放熱フィン部が遠心ファンに面して取り付けられている。上面および底面にはそれぞれ遠心ファンの空気取り入れ口が形成されている。
【００２４】
幅方向の長さが異なる放熱フィン部を含む２つの放熱フィン部（即ち、幅方向の長さが同一の第１放熱フィン部７−１、幅方向の長さが異なる第２放熱フィン部７−２）は、例えば、上面部、垂直面部および底面部からなる概ねコの字形の放熱フィンを複数並列配置して形成されている。並列配置されて形成された放熱フィンによって、上面部、底面部、垂直面部および隣接する垂直面部から断面矩形の通路が形成される。遠心ファンによる風は、上述した通路を通過する。
【００２５】
図２は、この発明の遠心ファン付ヒートシンクの底面および側壁面が一体的に形成された本体部を説明する図である。図２に示す本体部の空洞部に、図１を参照して説明した上述した上面３に取り付けられた遠心ファン２が収納される。即ち、遠心ファン２が空気取り入れ口８に対向するように、ヒートシンクの本体部に上面３が取り付けられる。
【００２６】
このようにして、この発明の遠心ファン付ヒートシンクにおいては、それぞれ空気取り入れ口８を備えた上面部３および底面部５、並びに、側壁部６によって形成される空洞部に、遠心ファン２が収容され、側壁部６の開口部に、それぞれの長軸方向が直交するように、幅方向の長さが同一の放熱フィン部７−１、幅方向の長さが異なる放熱フィン部７−２（幅方向の長い放熱フィン７−３、幅方向の短い放熱フィン７−４）が備えられ、整流片４が第1放熱フィン部と第2放熱フィン部によって形成される直角の部分の底面部に、幅方向の長い放熱フィン７−３に風が誘導されるように取り付けられる。
なお、図１および２に示す態様においては、整流片４は底面に取り付けられているが、これに限定されることなく、整流片は上面部に取り付けられてもよい。
【００２７】
整流片４は、概ね矩形の板状物からなっており、それぞれの長軸方向が直交するように配置されている、幅方向の長さが同一の第1放熱フィン部７−１と幅方向の長さが異なる第2放熱フィン部７−２によって形成される直角部分に垂直に配置される。整流片は上述したように幅方向の長い放熱フィン７−３に風が誘導されるように取り付けられる。板状物の高さは、例えば、概ねヒートシンクの厚さに等しく、上面部および本体部を組み合わせたときに、上下の辺がそれぞれ上面部、本体部に接するように配置される。板状物の高さは、ヒートシンクの厚さの半分であってもよい。板状物の高さ、長さ、および、水平面における放熱フィン部の長軸方向との間に形成される角度は、幅方向の長い放熱フィン７−３に風が誘導されるように、設定される。
【００２８】
即ち、所定の角度で配置され、所定の長さを有する整流片４によって、遠心ファンからの風は、第1放熱フィン部および第2放熱フィン部のそれぞれの放熱フィンの間を概ね均一に流れ、放熱フィン部全体に流れる風量が平坦化される。
【００２９】
図３はこの発明の遠心付ヒートシンクを示す概略斜視図である。即ち、図1に示す遠心ファンを備えた上面部を、図２に示すそれぞれの長軸方向が直交した２つの放熱フィン部、および、放熱フィン部によって形成された直角部に整流片が配置された本体部に組み込んで形成されたヒートシンクを表側から見た斜視図である。図３に示すように、上面部、側壁部および底面部によって形成された空洞部内に遠心ファンが収納され固定されている。底面部と同様に空気取り入れ口８が上面部にも形成されている。空気取り入れ口を通して遠心ファンが見える。
【００３０】
遠心ファンの回転方向は図中に矢印で示している。２つの放熱フィン部７−１、７−２は相互に直角に配置されて、遠心ファンに面して設けられている。第1放熱フィン部７−１、第2放熱フィン部７−２が接して形成している直角部に概ね矩形の板状物が配置されている。整流片は上述したように幅方向の長い放熱フィン７−３に風が誘導されるように取り付けられる。整流片としての板状物は、組み合わされた上面部および本体部の底面部に接するように配置されている。遠心ファンによって生じた風は、第1放熱フィン部７−１、第2放熱フィン部７−２の個々の放熱フィンを通過する。その際、整流片としての板状物によって、それぞれの放熱フィン部を通過する風の量が平坦化されて流れる。
【００３１】
図示しないが、発熱素子に一方の端部が熱的に接続されたヒートパイプ９の他方の端部が放熱フィン部に熱的に接続される。２つの放熱フィン部にそれぞれヒートパイプが接続されてもよい。ヒートパイプの他方の端部は、それぞれの放熱フィン部の長軸方向に沿って配置されることが好ましい。
【００３２】
このように、遠心ファンに相対して、幅方向の長さが同一の放熱フィン部７−１、および、幅方向の長さが異なる放熱フィン部７−２（幅方向の長い放熱フィン７−３、幅方向の短い放熱フィン７−４）を配置し、上述したように整流片である概ね矩形の板状物を配置することによって、幅方向の長い放熱フィン７−３に風が誘導され、それぞれの放熱フィン部を通る風の量が平坦化され、放熱効率が向上し、騒音が軽減する。
【００３３】
図４は、幅方向の長い放熱フィン７−３に風が誘導される遠心ファン付ヒートシンクを示す概略斜視図である。即ち、図1に示す遠心ファンを備えた上面部を、図２に示す、それぞれの長軸方向が直交した、幅方向の長さが同一の放熱フィン部７−１、および、幅方向の長さが異なる放熱フィン部７−２（幅方向の長い放熱フィン７−３、幅方向の短い放熱フィン７−４）、および、放熱フィン部によって形成された直角部に整流片が配置された本体部に組み込んで形成されたヒートシンクを裏側から見た斜視図である。図４に示すように、上面部、側壁部および底面部によって形成された空洞部内に遠心ファン２が収納され固定されている。上面部と同様に空気取り入れ口８が底面部にも形成されている。空気取り入れ口を通して遠心ファン２が見える。
【００３４】
遠心ファンの回転方向は図中に矢印で示している。幅方向の長さが同一の第1放熱フィン部７−１、幅方向の長さが異なる第２放熱フィン部７−２は、その長軸方向が相互に直交して配置され、遠心ファン２に面して設けられている。第1放熱フィン部７−１、第2放熱フィン部７−２によって形成された直角部に、整流片としての概ね矩形の板状物が上面および底面に接して設けられ、幅方向の長い放熱フィン７−３に風が誘導される。
【００３５】
（図示しない）発熱素子に一方の端部が熱的に接続されたヒートパイプ９の他方の端部が、図に示すように、第2放熱フィン部７−２、第1放熱フィン部７−１の長軸方向に沿って、順次に熱的に接続されている。
【００３６】
図４には一本のヒートパイプに２つの放熱フィン部が熱的に接続されているが、2本のヒートパイプを所定の間隙で並列配置し、各ヒートパイプが別々に放熱フィン部に熱的に接続されていてもよい。このように、遠心ファンに相対して２つの放熱フィン部を配置し、上述したように整流片である板状物を配置することによって、幅方向の長い放熱フィン７−３に風が誘導され、遠心ファンによって放熱フィン部を通る風量が概ね平坦化され、放熱効率が向上し、騒音が軽減する。
【００３７】
上述したように、この発明によると、遠心ファンに面して２つの放熱フィン部が、それぞれの長軸方向が直交するように配置され、且つ、２つの放熱フィン部によって形成される直角部分に、幅方向の長さが長い放熱フィンを配置し、更に、放熱フィン部の幅方向が長い放熱フィンを流れるように、遠心ファンからの風の流れを誘導する整流片を備えているので、遠心ファンによって生じ、放熱フィンの間を通過する風量が平坦化され、個々の放熱フィンを円滑に風が流れ、放熱効率を高め、騒音を軽減することができる遠心ファン付ヒートシンクを提供することができる。
【図面の簡単な説明】
【００３８】
【図１】図１は、図１は、この発明の遠心ファン付ヒートシンクの上面に取り付けられた遠心ファンを説明する概略図である。
【図２】図２は、この発明の遠心ファン付ヒートシンクの底面および側壁面が一体的に形成された本体部を説明する図である。
【図３】図３はこの発明の遠心付ヒートシンクを示す概略斜視図である。
【図４】図４は、幅方向の長い放熱フィン７−３に風が誘導される遠心ファン付ヒートシンクを裏側から見た概略斜視図である。
【図５】図５は従来の遠心ファン付ヒートシンクを説明する摸式断面図である。
【符号の説明】
【００３９】
１  遠心ファン付ヒートシンク
２  遠心ファン
３  上面部
４  整流片
５  底面部
６  側壁面
７、７−１、７−２  放熱フィン部
８  空気取り入れ口
９  ヒートパイプ
１００  従来の遠心ファン付ヒートシンク
１０２  遠心ファン
１０７  第1放熱フィン部
１０８  第2放熱フィン部
１１０  放熱フィン
【図１】
2008103439.tif 000003
【図２】
2008103439.tif 000004
【図３】
2008103439.tif 000005
【図４】
2008103439.tif 000006
【図５】
2008103439.tif 000007